(57)【要約】      （修正有）【課題】乳母車の収納制御器は、ハンドルの握りにあり、使用状態に、握りで乳母車を押すが、２種の機能構造が同じ位置にあり、操作者は誤って接触し、折りたたんでしまい、車内の乳児を危険に陥れる可能性がある。バギーには、横向きと縦向きの折りたたみ構造部品があり、折りたたむ時、通常両手で同時に操作しハンドルを前に收めるため、体積が大きくなり、持ち運びにくくなる。【解決手段】本考案のバギーの片手折りたたみ構造では、下骨組２の座席の下方に設置した握りを、連動部品で接続されたひっかけ部品を駆動して上関節１２のひっかけ部から外し、上骨組１を後ろ向きに折りたたむことができるようにし、操作者は勢いで骨組を折りたたみ、起こすことができるため、体積を小さくし、持ち運びを容易にすることができ、ひっかけ部品の握りは座席の下に設置してあるため、座席部３に乳児がいる時に、誤って骨組を折りたたむことを防ぎ、安全に使用することができる。【選択図】図１
0003109741.tif 000002
【実用新案登録請求の範囲】
【請求項１】
主にバギーの骨組を制御し、展開状態及び折りたたみ状態を呈することができるようにし、該バギーの骨組の左側の骨組と右側の骨組が同時に横向きと縦向きに移動することができるようにするバギーの片手折りたたみ構造で、その構造には、上関節を接続し該上関節の下端にひっかけ部を設けた上骨組、該上骨組とつながり互いに縦向きに折りたたむことができる接続関係を形成する下骨組、該上関節と該下骨組の間に設置され該上関節のひっかけ部と突っ張りあってその縦向きの折りたたみ動作を制限することができ該ひっかけ部品によって該ひっかけ部を開いて該上骨組と該下骨組を縦向きに折りたたむことができるようにするひっかけ部品、該左側骨組と該右側骨組の間につなげられ該左側骨組と該右側骨組を支え折りたたみ時に該左側骨組と該右側骨組を動かし横向きにくっつきあって折りたたむことができる一対の交叉桿、及び該下骨組に設置され該ひっかけ部品に接続され握りを含み操作者が該握りによって片手で該ひっかけ部品を移動させ該ひっかけ部を外して該上骨組が該下骨組と縦向きの折りたたみを行うことができるようにすると同時に該左側骨組と該右側骨組に横向きにくっつきあい該骨組を折りたたむことができるようにする駆動セットが含まれることを特徴とするバギーの片手折りたたみ構造。
【請求項２】
請求の範囲請求項１に述べたバギーの片手折りたたみ構造で、該上骨組に該上骨組に両側にそれぞれ置かれた手押し棒が含まれ、該上関節が該手押し棒の下端に接続されているもの。
【請求項３】
請求の範囲請求項１に述べたバギーの片手折りたたみ構造で、該下骨組に互いにつながりそれぞれ置かれた両側の一対の前脚管、一つの後脚管、前脚管と後脚管をつなぐ接続管、左右の両側の骨組の間をつなぐ交叉管、及び後脚管の間につながる支え組が含まれ、また該下骨組の左右両側の骨組の間に座席部が形成され乳幼児を乗せることができるもの。
【請求項４】
請求の範囲請求項３に述べたバギーの片手折りたたみ構造で、該前脚管の上端が該上関節とつながっているもの。
【請求項５】
請求の範囲請求項１に述べたバギーの片手折りたたみ構造で、該ひっかけ部品が該前脚管の上端に設置されているもの。
【請求項６】
請求の範囲請求項１に述べたバギーの片手折りたたみ構造で、該駆動セットに一対の連動部品が含まれ、該連動部品がそれぞれ一端は該ひっかけ部品に接続し、もう一端は該握りに接続して、操作者が該握りを引っ張ることによって該連動部品を通じて該ひっかけ部品を移動し、該ひっかけ部品が該上関節のひっかけ部から外れるようにすることができるもの。
【請求項７】
請求の範囲第６項に述べたバギーの片手折りたたみ構造で、該連動部品を撓性線にすることができるもの。
【請求項８】
請求の範囲請求項６に述べたバギーの片手折りたたみ構造で、該握りが該座席の下方に置かれたもの。
【請求項９】
請求の範囲請求項７に述べたバギーの片手折りたたみ構造で、該駆動セットに連動部品及び握りが含まれ、該撓性線の両端がそれぞれ該両側のひっかけ部品に接続され、該連動部品の中段部分を該座席の下方に通し、握りを設置して操作者が該握りによって該ひっかけ部品を引っ張ることができるようにしたもの。
【請求項１０】
請求の範囲請求項１に述べたバギーの片手折りたたみ構造で、該駆動セットに一対の連動部品、一対の振り棒及び一つの握りが含まれ、該振り棒は該座席の下につながれ、該連動部品の両端はそれぞれ該ひっかけ部品と該振り棒に接続され、また該振り棒の間に握りが設置され、操作者が該握りを片手で引っ張ることによって該対振り棒を動かし、該ひっかけ部品を連動させて下向きに移動させ、該ひっかけ部を外し、折りたたみの状態を形成することができるもの。
【考案の詳細な説明】
【技術分野】
【０００１】
この考案は、操作者が片手で握りを引っ張ることによってバギーの骨組を折りたたむための、バギーの骨組の座席下方または前方に設置された握りなどの、バギーの片手折りたたみ構造に関するものである。
【背景技術】
【０００２】
一般的な乳母車には、通常乳児を乗せることができる展開状態及び折りたたんで置いておける折りたたみ状態があり、使用状態から折りたたみ状態に変える時には、車体の中に載っている乳児を抱きかかえた後でないと、折りたたむことはできない。この時、乳児がまだ歩けない、または立つことができない場合、操作者は片手で乳児を抱き、片手で車を収納しなければならず、非常に不便である。市販されている片手で折りたたみを操作する乳母車は、操作者は片手で制御し、解放して、乳母車の車体を折りたたみ状態にすることしかできず、類似の設計には、アメリカの特許文献６０６８２８４号がある。
【特許文献１】米国特許６０６８２８４号
【考案の開示】
【考案が解決しようとする課題】
【０００３】
現在この類の製品の収納制御器は、すべてハンドルの管の握りの部分の位置に設置されており、使用状態で、握りの部分で乳母車を押さなければならず、２種の機能構造がどちらも同じ位置に設置されており、操作者は間違って接触し、折りたたんでしまう事故を起こし、車内の乳児を危険に陥れる可能性がある。また、別途単独で収納制御器を増設すると、相当の製造原価が追加されてしまう。
【０００４】
また、バギーの製品は、横向きと縦向きの折りたたみ構造部品があるため、通常両手で同時に操作しなければならず、それに加え、バギーを折りたたむ時、バギーのハンドルを前に收める必要があるため、大きな体積が必要であるだけでなく、使用者の持ち運びに不便である。
【課題を解決するための手段】
【０００５】
そこで、上述の周知のバギーの折りたたみの難かしさ、体積の大きさ、及び持ち運びの不便さなどの欠点を解決するため、本考案では、下骨組の座席の下方に駆動セットを設置し、駆動セットがひっかけ部品を駆動することによって、該ひっかけ部品が上関節のひっかけ部を外すようにし、上骨組を後ろ向きに折りたたむことができるようにしている。そのうち駆動セットには握りが含まれ、操作者が操作し、片手で該握りを引っ張って骨組を折りたたみ、勢いで骨組を折りたたんで、起こすことができるようにしている。これによって、上骨組は後ろ向きに折りたたむことができ、握りがあるために、操作者が握ることができ、折りたたみ動作を制御し、骨組を起こすことができる。
【考案の効果】
【０００６】
本考案には、体積が小さく持ち運びが容易であるという実用的な優れている点がある。ひっかけ部品を制御する握りが座席の下に設置されているため、乳児が座席にいる時に、使用者が誤って手を動かし骨組を折りたたんでしまうことを避けることができ、これによって安全な使用という設計の目的を達成している。
【考案を実施するための最良の形態】
【０００７】
本考案のその他の目的とさらに進んだ適用の範疇については、下記の詳細な敘述からはっきりと知ることができる。しかし、本考案の精神と範疇において行われる各種の変更と修正は、この業界における専門家にとって、これらの詳細な説明及び図面によって充分はっきりと知ることができ、これらの詳細な敘述と、示された実施例は説明のためだけに用いるものであり、これらの詳細な説明と図面は本考案を制限するものであってはならない。
【実施例】
【０００８】
図１から図４に示したとおり、本考案で実施するバギーの片手折りたたみ構造によって、操作者に座席の下方に片手で折りたたむことができるバギー骨組を提供し、便利な折りたたみ及び安全の効果を達成する。バギー骨組１０には、上骨組１及び下骨組２が含まれる。
【０００９】
上骨組１には、一対のそれぞれ両側に置かれた手押し棒１１があり、該手押し棒１１の下側は上関節１２に接続し、該上関節１２にはひっかけ部１３があり、本実施例では、該ひっかけ部１３は、凹んだ溝になっている。また、該手押し棒１１を管状にする場合は、該ひっかけ部１３は、該手押し棒１１の末端部分に直接形成することもできる。
【００１０】
下骨組２には、一対のそれぞれ左右両側に置かれ、接続状態を呈した前脚管２１、後脚管２２、前脚管２１と後脚管２２に接続された接続管２３、左右両側の骨組２４、２５の間に接続された交叉管２６、及び後脚管２２の間に接続された支え組２７が含まれ、左右両側の骨組２４、２５の間で座席部３を形成する。図２、図３で示すように、前脚管２１は上関節１２につながれている。本実施例では、該前脚管２１の上端に管内で往復し滑り動くひっかけ部品２１１を設置し、該ひっかけ部品２１１は常態の下では、ばね２１２が上関節１２のひっかけ部１３を固定した状態に保ち、バギー骨組１０に展開した固定状態を形成させ、ひっかけ部品２１１がひっかけ部１３を外れた時、各管部品は相対的に回転することができ、該上骨組１は後ろに向き回転し、縦向きに下向きに骨組２を折りたたみ（図４及び図５を参照）、また、下骨組２の左右両側の骨組２４、２５の間に交叉管２６をつなぎ、後脚管２２の間で支え組２７を接続するため、該バギー骨組１０を折りたたむと同時に、左右両側の骨組２４、２５を中央に向けて横向きに互いにくっつきあわせ、折りたたむことができる。駆動セット４は、下骨組２と該ひっかけ部品２１１の間に設置され、該ひっかけ部品２１１の移動を駆動させる。該駆動セット４には、連動部品４１が含まれ、本実例では、該連動部品４１は撓性線であり、該撓性線が一対の分離した線とすることができ、その一端は前脚管２１内を通し、ひっかけ部品２１１と接続し、もう一端は座席３の下方に置き、それぞれ握り４２に接続し（図１を参照）、操作者は該握り４２を利用して同時に該撓性線を引っ張り、ひっかけ部品２１１が上関節１２のひっかけ部１３から外れるようにすることができ、これによってバギー骨組を折りたたむ目的を達成する。
【００１１】
また、本実施例では単一連動部品４１（撓性線とすることができる）を使用し（図には示されていない）、該連動部品４１の両端はそれぞれ前脚管２１内に通し、ひっかけ部品２１１と接続し、連動部品４１の中段部分を座席の下方に置き、握り４２を設置し、これによって操作者が該握り４２を握り、同時に該ひっかけ部品２１１を引っ張ることができるようにする。また、図６に示すように、本実施例では、座席３の下方に一対の振り棒４３を接続し、一対の連動部品４１の両端がそれぞれひっかけ部品２１１と該振り棒４３の間に接続するようにし、該振り棒４３の間に握り４２を設置し、そのうち本実施例の中で該振り棒４３の一端は垂直鉄片４０につながれ（該垂直鉄片は前脚管２１につながれている）、該振り棒４３のもう一端は握り４２の片側につながれており（図６に示すとおり）、操作者は握り４２によって片手で該振り棒４３を引っ張り回転させることによって、ひっかけ部品２１１を引っ張って下向きに移動させ、ひっかけ部１３を外し、折りたたむことができる状態を形成することができる。さらに、該握り４２の力の方向は、振り棒４３及び骨組１０の折りたたみ方向と同じであるため、操作者は該握り４２を引っ張ることによってバギー骨組を折りたたみ、該握り４２によって該バギー骨組１０を起こすことができる。こうして、本考案の「バギーの片手折りたたみ構造」は、バギー骨組の座席の下方に位置した握りによって片手で操作することができ、比較的安全であるだけでなく、該握りによって折りたたんだ後のバギー骨組を起こすことができ、操作者に相当の便利さを提供する。
【図面の簡単な説明】
【００１２】
【図１】本考案の立体構造見取り図。
【図２】本考案の関節部位構造部品分解見取り図。
【図３】本考案の関節部位断面見取り図。
【図４】本考案の骨組の折りたたみ動作見取り図。
【図５】本考案の骨組の折りたたみ状態見取り図。
【図６】本考案の駆動セットに別途振り棒を設置した立体構造見取り図。
【符号の説明】
【００１３】
１: 上骨組
１０: バギー骨組
１１: 手押し棒
１２: 上関節
１３: ひっかけ部
２: 下骨組
２１: 前脚管
２１１: ひっかけ部品
２１２: ばね
２２: 後脚管
２３: 接続管
２４: 左側骨組
２５: 右側骨組
２６: 交叉管
２７: 支え組
３: 座席部
４: 駆動セット
４０: 垂直鉄片
４１: 連動部品
４２: 握り
４３: 振り棒
【図１】
0003109741.tif 000003
【図２】
0003109741.tif 000004
【図３】
0003109741.tif 000005
【図４】
0003109741.tif 000006
【図５】
0003109741.tif 000007
【図６】
0003109741.tif 000008